(57)【特許請求の範囲】
【請求項１】
複数の第１局から同じ第２局に信号を伝送する方法であって、第１通信および第１関連情報を備える第１信号を前記複数の第１局の１つから前記第２局へ伝送するステップと、
前記第１通信、第２通信および第２関連情報を備える第２信号を、前記複数の第１局のもう１つから前記第２局へ伝送し、前記第２関連情報が前記第１関連情報から少なくとも部分的に異なるステップと、
前記第２局で前記第１信号および第２信号を受信し、そこでは前記第２局が前記第１信号および第２信号を、第１関連情報および第２関連情報にしたがって処理するステップとを備える方法。
【請求項２】
前記第１通信が音声を含む請求項１記載の方法。
【請求項３】
前記第１通信が信号情報のみを含む請求項１記載の方法。
【請求項４】
第１通信は専用チャネルで提供される請求項１、２または３記載の方法。
【請求項５】
前記第２通信が、データである請求項１、２、３または４記載の方法。
【請求項６】
前記第２通信が共用されるチャネルで提供される請求項１、２、３、４または５記載の方法。
【請求項７】
前記第１および／または第２関連情報が、それぞれ第１信号および第２信号の速度に関する情報を備えてなる請求項１、２、３、４、５または６記載の方法。
【請求項８】
前記第１および／または第２関連情報が、受信された信号を無事に処理するために必要とされる情報を備えてなる請求項１、２、３、４、５、６または７記載の方法。
【請求項９】
前記第１および／または第２関連情報が、第１通信に関連付けられた第１情報および第２通信に関連付けられた第２情報を備えてなる請求項１、２、３、４、５、６、７または８記載の方法。
【請求項１０】
前記第１関連情報および第２関連情報が、第１通信に関して同じ情報を備えてなる請求項１、２、３、４、５、６、７、８または９記載の方法。。
【請求項１１】
前記第１局および第２局の内の１つが基地局を備えてなる請求項１、２、３、４、５、６、７、８、９または１０記載の方法。
【請求項１２】
前記第１局および第２局の内の１つが移動局を備えてなる請求項１、２、３、４、５、６、７、８、９、１０または１１記載の方法。
【請求項１３】
前記第１局および第２局が、符号分割多重接続技法を使用して通信する請求項１、２、３、４、５、６、７、８、９、１０、１１または１２記載の方法。
【請求項１４】
前記第１通信および第２通信が異なる拡散コードを使用してなる請求項１３記載の方法。
【請求項１５】
前記第１局の内の少なくとも２つは異なる制御要素に接続され、該制御要素が第１関連情報および／または第２関連情報を定める請求項１、２、３、４、５、６、７、８、９、１０、１１、１２、１３または１４記載の方法。
【請求項１６】
前記制御要素が、無線網制御装置である請求項１５記載の方法。
【請求項１７】
前記複数の第１局および複数の第２局を備えるネットワークであって、
前記第１局のそれぞれが１つの制御要素に接続され、前記第１局の少なくとも１つが１つの制御要素に接続され、第１局の少なくとも１つが異なる制御要素に接続され、第１モードでは、第２局がなんらかの制御要素によって制御される複数の第１局と通信しているときに、複数の第１局は第２局に同一の制御情報を伝送し、第２モードでは、第２局が複数の異なる制御要素によって制御されている複数の第１局と通信中であるとき、前記複数の第１局によって前記第２局に伝送される制御情報が異なるネットワーク。
【請求項１８】
前記制御情報が、前記複数の第１局から受信される信号に関して、第２局によって実行される処理を制御するために、前記第１モードおよび前記第２モードで前記第２局によって使用されている請求項１７記載のネットワーク。
【請求項１９】
前記制御情報が、第１モードでは第１コーディングにしたがい、第２モードでは第２コーディングにしたがう請求項１７または１８記載のネットワーク。
【請求項２０】
前記第１コーディングが、第１数のビットを使用する第１数の使用可能な記号を有し、第２コーディングが第２数のビットを使用する第２数の使用可能な記号を有してよく、そこでは記号の第１数が記号の第２数より多い請求項１７、１８または１９記載のネットワーク。
【請求項２１】
前記制御情報が、第１モードで第１数のコードワードを、および第２モードで第２数のコードワードを備えてよく、前記コードワードの第１数は、コードワードの第２数より少ない請求項１７、１８、１９または２０記載のネットワーク。
【請求項２２】
前記第１モードで該コードワードまたは各コードワードを定義するビット数は、第２モードでの該コードワードまたは各コードワードのビット数と異なる請求項２１記載のネットワーク。
【請求項２３】
複数の第１局から同じ第２局に信号を伝送する方法であって、
第１関連情報を含む第１信号を前記複数の第１局の１つから前記第２局へ伝送するステップと、
第２関連情報を含む第２信号を、前記複数の第１局のもう１つから前記第２局へ伝送し、前記第２信号が前記第１信号から少なくとも部分的に異なるステップと、
前記第２局で前記第１信号および第２信号を受信し、そこでは前記第２局が前記第１信号および第２信号を、第１関連情報および第２関連情報にしたがって処理するステップとを備える方法。
【発明の詳細な説明】
【０００１】
［技術分野］
本発明は伝送方法に関し、排他的にではないが、とくに複数の基地局から無線セルラー電気通信網内の１つの移動局に信号を伝送する方法に関する。
【０００２】
［背景技術］
符号分割多重接続（ＣＤＭＡ）の使用は、次世代のセルラー電気通信網に提案されている。さらに、符号分割多重接続は、米国においてＩＳ−９５規格でも使用されている。ＣＤＭＡは、直接シーケンススペクトル拡散技法である。ＣＤＭＡを使用する無線セルラー網において、第１基地局に関連付けられているあるセル内に移動端末は、第２基地局に関連付けられている隣接するセル内の移動局と同じ周波数を使用するだろう。異なる移動局は、それぞれの移動局が別の拡散コードを使用するので、それぞれの基地局によって区別できる。
【０００３】
米国−Ａ−第５１０１５０１号では、「ソフト」ハンドオフを使用するＣＤＭＡシステムが記述されている。ソフトハンドオフを使用すると、移動局は同時に複数の基地局と通信することができる。これは、典型的には、移動局が２つのセルのあいだに画定される境界に近いときに発生するだろう。移動局によって送信される信号は、基地局の両方によって受信、処理されるだろう。同様に、移動局は、２つの基地局から同じ信号を受信するだろう。２つの基地局からの信号は結合されてよい。結合された信号は、移動局によって受信される個々の信号より優れた品質を提供するだろう。
【０００４】
移動局と基地局のあいだに２つの並列接続が提供されることも提案されていた。これらの接続の内の一方は音声用であるが、他方はデータ用である。前述されたソフトハンドオフのシナリオは、音声接続を前提として提案されていた。データ（伝送）にソフトハンドオフを使用することは無事に実現することが困難であるため、移動局が、音声接続のために２つまたは３つ以上の基地局とソフトハンドオフしているにしても、移動局はデータ接続のために単一の基地局とだけ通信する必要があることが提案されていた。
【０００５】
発明者は、この提案があるソフトハンドオフ状況においては問題を有することを認識している。これらの問題は、１つの移動局が通信中である２つの基地局が異なる無線網制御装置の制御下にあるときに発生するだろう。無線網制御装置は移動局へ転送するために基地局に制御情報を与える。この情報は、音声および／またはデータが存在するかどうかと、それらについての速度情報を示す。ソフトハンドオフ中の移動局内での無事に結合できるためには、この情報は矛盾してはならない。ある無線網制御装置の制御下にあるある基地局が、音声とデータが移動局に送信中であることを示し、別の無線網制御装置の制御下にある第２基地局が同じ移動局に対し、音声だけが移動局に送信されていることを示す場合、移動局は、受信された音声を無事に結合することはできないだろう。移動局は、移動局が、一方の基地局によってデータ情報があることを知らされるにすぎないため、データ情報はないと仮定することがある。この情報は一方の基地局からだけ受信されるので、移動局は、基地局からの情報が信頼性がなく、事実上データがないと仮定することがある。
【０００６】
［発明の開示］
この問題に対処することが本発明の目的である。本発明の第１態様によれば、複数の第１局から同じ第２局に信号を伝送する方法が提供され、前記方法は、第１通信および第１関連情報を備える第１信号を前記複数の第１局の１つから前記第２局へ伝送するステップと、前記第１通信、第２通信および第２関連情報を備える第２信号を、前記複数の第１局のもう１つから前記第２局へ伝送し、前記第２関連情報が前記第１関連情報から少なくとも部分的に異なるステップと、前記第２局で前記第１信号および第２信号を受信し、そこでは前記第２局が前記第１信号および第２信号を、第１関連情報および第２関連情報にしたがって処理するステップとを備える。
【０００７】
第１通信または通信の種別は、音声を含んでよい。かわりに、第１通信はそれ以外の適切なデータを備えてよい。第１通信が２つの異なる第１局から同じ第２局に伝送されるとき、第２局は第１通信に関してソフトハンドオフ状態にある。第１通信は専用チャネルで提供されてよい。かわりに、第１通信は共用されるチャネルで提供されてよい。
【０００８】
第２通信または通信の種別は、データまたはそれ以外の適切な情報であってよい。第２通信は、第１局の内の１つによって第２局に提供されるに過ぎない。その結果、その第２通信は、第２通信に関してソフトハンドオフ状況にない。好ましくは、第２通信は共用されるチャネルで提供される。かわりに、専用チャネルが第２通信に提供されてもよい。
【０００９】
第１および／または第２関連情報は、それぞれ第１信号および第２信号の速度に関する情報を備えてよい。かわりに、またはさらに、第１および／または第２関連情報は、受信された信号を無事に処理するために必要とされる情報を備えていてもよい。好ましくは、第１および／または第２関連情報は、少なくとも１つのコードワードを備えていてもよい。好ましくは、あるコードワードが第１通信用に提供され、別のコードワードが第２通信用に提供される。
【００１０】
第１および／または第２関連情報は、第１通信に関連付けられた第１情報および第２通信に関連付けられた第２情報を備えていてもよい。前述されたように、その第１情報および第２情報はそれぞれのコードワードを備えていてもよい。好ましくは、第１関連情報および第２関連情報は、第１通信に関して同じ情報を備える。
【００１１】
第１局および第２局の内の１つが基地局を備えていてもよい。好ましくは、第１局および第２局の内の１つが移動局を備えている。第１局は、好ましくは基地局であり、第２局が好ましくは移動局である。
【００１２】
本発明の好適な実施態様では、第１局および第２局は、符号分割多重接続技法を使用して通信する。第１通信および第２通信は異なる拡散コードを使用してよい。
【００１３】
第１局の内の少なくとも２つは異なる制御要素に接続されてよく、制御要素は第１関連情報および／または第２関連情報を定める。これらの制御要素は、無線網制御装置であってよい。
【００１４】
本発明の第２の態様によれば、複数の第１局および複数の第２局を備えるネットワークが提供され、前記第１局のそれぞれが１つの制御要素に接続され、前記第１局の少なくとも１つが１つの制御要素に接続され、第１局の少なくとも１つが異なる制御要素に接続され、第１モードでは、第２局がなんらかの制御要素によって制御される複数の第１局と通信しているときに、複数の第１局は第２局に同一の制御情報を伝送し、第２モードでは、第２局が複数の異なる制御要素によって制御されている複数の第１局と通信中であるとき、前記複数の第１局によって前記第２局に伝送される制御情報が異なり、前記制御情報は、前記複数の第１局から受信される信号に関して、第２局によって実行される処理を制御するために、前記第１モードおよび前記第２モードで前記第２局によって使用されている。
【００１５】
制御情報は、第１モードでは第１コーディングにしたがってよく、第２モードでは第２コーディングにしたがってよい。
【００１６】
第１コーディングは、第１数のビットを使用する第１数の使用可能な記号を有してよく、第２コーディングは第２数のビットを使用する第２数の使用可能な記号を有してよく、そこでは記号の第１数が記号の第２数より多い。制御情報は、第１モードで第１数のコードワードを、および第２モードで第２数のコードワードを備えてよく、前記コードワードの第１数は、コードワードの第２数より少ない。たとえば、１つのコードワードが第１モード使用されてよく、２つまたは３つ以上のコードワードが第２モードで使用されてよい。
【００１７】
好ましくは、第１モードで該コードワードまたは各コードワードを定義するビット数は、第２モードでの該コードワードまたは各コードワードのビット数と異なる。あるコードワードのための第１モードでのビット数は、好ましくは第２モードでのビット数より多い。
【００１８】
本発明をさらによく理解するために、およびそれがどのようにすれば実現されるのかに関して、例としてここで添付図面に関して参照がなされるだろう。
【００１９】
最初に、セルラー電気通信網の３つのセル２が示されている図１を参照する。各セル２は、それぞれの基地トランシーバ局（ＢＴＳ）４によってサービスを受ける。各基地トランシーバ局４は、指定された基地トランシーバ局４に関連付けられるセルの中に位置する移動局６に信号を伝送するため、およびそこから信号を受信するために配列される。同様に、各異動局６は、それぞれの基地トランシーバ局４に信号を伝送、およびそこから信号を受信することができる。
【００２０】
図１に図示されているセルラー電気通信網は、符号分割多重接続技法を使用する。結果として、移動局の少なくともいくつかは同時に複数の基地局と通信するだろう。しかしながら、これは、さらに詳細に後述されるだろう。
【００２１】
ここでは、隣接するセルにサービスを提供する２つの基地局１０と１２を示す図２が参照される。第１基地局１０は、第１無線網制御装置１４に接続されているが、第２基地局１２は、第２無線網制御装置１６に接続されている。実際には、第１無線網制御装置および第２無線網制御装置１４と１６のそれぞれが複数の基地局に接続されるだろう。しかしながら、明快さのために、１つの基地局だけが、各無線網制御装置に接続されているとして示されている。
【００２２】
図２に示されているシナリオでは、移動局１８は、同時に第１基地局と第２基地局１０と１２の両方と接続しているため、ソフトハンドオフ状態にある。第１基地局および第２基地局のセルは、重複の領域内にある移動局１８と重複していると見なすことができる。
【００２３】
移動局１８は、第１基地局１０とダウンリンク音声接続２０およびダウンリンクデータ接続２２を有し、これらの接続は並列である。音声接続は、必ずではないが専用接続である場合があり、ダウンリンクチャネルと呼ばれることもある。これらの実施態様を介したデータ接続はダウンリンク共用チャネルであり、第１基地局１０によって異なる移動局とのそれ以外の接続のためにも使用される。かわりに、データ接続は専用チャネルであってよい。音声接続およびデータ接続は、２つの接続（チャネル）を区別することができるように異なる拡散コードを使用する。拡散係数（つまり、処理利得）は、音声接続およびデータ接続に関して異なってもよい。
【００２４】
第１基地局１０からの移動局１８用の制御情報は、音声接続上の音声と多重化され、そのため音声接続と同じコードを使用する。
【００２５】
移動局１８は、第２基地局１２とのダウンリンク音声接続２４を有し、データ接続は有さない。移動局１８と第２基地局１２のあいだの音声接続２４は、第１基地局１０と移動局１８間の音声接続と同じ拡散係数を使用する。もう一度、制御情報は、音声接続上で音声と多重化され、単一拡散コードが使用される。音声接続は専用物理データチャネルとして見なされてよいが、制御情報は専用物理制御チャネルによって提供されていると見なされてよい。
【００２６】
第１基地局および第２基地局１０と１２によって移動局に伝送される音声情報は同じであるが、制御情報は同じである場合もあれば、異なる場合もある。制御情報は、移動局１８がそれにより伝送する電力を制御するための電力制御情報などの情報を含む。制御情報は、後述されるように、ＴＦＣＩ情報も含む。制御情報は、一定の目的のための基準としての役割を果たすパイロット信号または記号を含んでよい。制御情報は、音声チャネル（つまり、専用ダウンリンク物理チャネル）上に時間多重化され、そのため同じ拡散コードを使用している。
【００２７】
データブロックは無線網制御装置１４と１６と、それぞれの基地局１０と１２のあいだで、フレームプロトコルＦＰを使用して伝送される。データは音声データまたは従来のデータであってよい。フレームは１つのインタリーブ期間内に伝送されるデータおよびトランスポートフォーマットインジケータＴＦＩを含む。インタリーブ期間とは、データがインタリーブされる期間である。トランスポートフォーマットインジケータＴＦＩは、データブロックのサイズ、インタリーブ期間等のデータフレームのフォーマットに関する情報を提供する。
【００２８】
各移動局は、各フレームが１つのベアラだけのデータおよびカレントトランスポートフォーマットインジケータＴＦＩを含むことを意味する独立トランスポート接続を有する。あるベアラは音声であり、別のベアラはデータであり、さらに別のベアラは信号方式である。ダウンリンク通信（無線網制御装置から基地局方向への）の場合、同じユーザ装置を有するユーザのデータブロックは、単一無線リンク上に多重化される。多重化がなされる方法は、ベアラ用の各フレーム内のデータの量を示す各フレームのトランスポートフォーマットインジケータＴＦＩに依存するだろう。多重化は、同じ拡散コードを使用する予定のブロックのあいだで行なわれる。
【００２９】
専用物理制御チャネルＤＰＣＣＨ内に提供される無線フレームのトランスポートフォーマット結合情報ＴＦＣＩフィールドは、多重化が実行される方法を示すだろう。トランスポートフォーマット結合情報ＴＦＣＩフィールドは、そのデータが専用物理データチャネルＤＰＤＣＨ内の１つまたは複数の無線フレーム内で多重化されるベアラのそれぞれのトランスポートフォーマットインジケータＴＦＩを示すだろう。各フレームは、１つは共用チャネル用、および１つは共用されていないチャネル用の２つのコードスロットを取り込む。ＴＦＣＩ情報は、音声およびデータそれぞれに関連付けられる速度に関する情報を提供する。このようにして、速度情報は、チャネルコーディングの形式だけではなく、実行されるインタリーブも定義する。
【００３０】
移動局１８が、異なる無線網制御装置１４と１６によて制御される２つの基地局１０と１２と通信するとき、ＴＣＦＩコーディングは以下のように修正される。第１種のコーディングは、このシナリオにおいてＴＣＦＩコーディング用に使用される。この実施態様では、１６．５コーディングが使用される。つまり、５ビットで表わされる１６の使用可能な記号がある。
【００３１】
基地局のそれぞれは１つまたは２つのコードワードを送信し、それぞれが５ビットという最大長さを有する。これらのコードワードは、それぞれの無線網制御装置によって形成される。移動局によって受信される２つのワードの４つの例を示す図３が参照される。第１ワードであるワード１は、第１基地局１０と第２基地局の両方によって伝送され、音声接続に関する。音声接続用の同じ情報ワード１は、第１基地局および第２基地局１０と１２から移動局１８に送信されるだろう。これは、同じ音声情報が、第１基地局および第２基地局１０と１２の両方から移動局に送信されるためである。
【００３２】
第２ワードであるワード２は、任意のデータ接続に関する。第１基地局１０は、ワード２を移動局１６に送信する。第２基地局と移動局１８のあいだにはデータ接続がないため、以下の内の１つが発生する。つまり、第２コードワード、ワード２のかわりに、第２基地局は、第２ワードを表わす連続したゼロまたは類似物を送信する。かわりに、第２基地局は、第２ワード、ワード２を送信しないこともある。その結果として、移動局は、第１基地局からの第２コードワード、ワード２の１つのバージョン、またはゼロまたは同等物を含む第２バージョンを受信するだけである。後者のケースでは、２つの第２ワード、ワード２は、データがない接続の影響が無視されるように結合することができる。これは、１つのデータ接続だけがあることを確認するために使用することができる。
【００３３】
第１ワードは、第１基地局１０と移動局１８のあいだ、および第２基地局２と移動局１８のあいだの音声接続用のＴＣＦＩ情報を含む。ＴＦＣＩ情報は、第１局と第２局両方から同じである。
【００３４】
第２ワードは、第１基地局１０と移動局１８間のデータ接続用のＴＣＦＩ情報を含む。データ接続用に第２基地局１２からのＴＦＣＩ情報はない。
【００３５】
図３は、移動局によって受信されるＴＦＣＩビットの総数が、７、８、９および１０である例を示す。これらの例から分かるように、各コードワードの使用可能なビットのすべてを使用する必要はない。たとえば、第２ワード、ワード２の１つのバージョンではすべてのビットが、別のバージョンでは４つのビット、別のバージョンでは３つのビット、および別のバージョンでは２つのビットで使用される。１つのビットだけが使用されてもよい。未使用の１つまたは複数のビットの位置は変化してよい。第１ワード、ワード１は、変化してよい。第１ワード、ワード１は、同様に使用可能なビットのいくつかだけを使用してよい。
【００３６】
移動局は、必要に応じて音声接続およびデータ接続を処理するために、ＴＣＦＩ情報を使用する。たとえば、速度情報は、音声またはデータが一定の方法でインタリーブされ、符号化されたことを意味するだろう。移動局は、実行されるべきインターリーブの復元プロセスおよび復号を決定するために速度情報を使用する。
【００３７】
移動局が同じ無線網制御装置によって制御される２つの基地局と通信している場合、移動局は、接続ごとに基地局の両方から同じＴＣＦＩ情報を受信する。ＴＣＦＩ情報は、別のコーディングを使用するだろう。この実施態様においては、異なるコーディングとは３２．６コーディングだろう。つまり、６ビットによって表わされる３２の使用可能な記号がある。言うまでもなく、基地局のそれぞれによって伝送される６ビットからなるひとつだけのコードワードがある。
【００３８】
本発明の別の実施態様では、その他の種類のコーディングを使用することができる。
【００３９】
本発明の実施態様は、そのうちの一方がダウンリンクチャネルを制御し、そのうちの他方がダウンリンク共用チャネルを制御する２つの無線網制御装置が含まれる場合、ダウンリンク共用チャネル上での高速信号方式の利点を、無線網制御装置が異なる場所にある場合にも保持することができるという優位点を有する。
【００４０】
データ接続ＴＣＦＩコードワード（共用チャネルに関してであってよい）は、ソフトハンドオフに関連付けられた利得を有さないだろうが、これもデータ自体に適用する。
【００４１】
図３に関して記述されるこの方法は、無線網制御装置間の制御ループがネットワーク内のトラフィックの削減を必要としないという優位点を有する。
【００４２】
信号方式情報、つまり音声接続に関するＴＣＦＩ情報は、音声接続に関連する同じソフトハンドオフ利得を有するだろう。
【００４３】
異なる基地局が同じ移動局と通信し、それらの基地局が異なる無線網制御装置によって制御される状況での問題に対する代替解決策がある。その解決策とは、２つの無線網制御装置を、同じＴＣＦＩコーディングが基地局の両方によって送信されるように互いに接続することである。この解決策は、無線網制御装置が同じ場所にある場合に有利であることがある。無線網制御装置が同じ場所にない場合、この解決策は、遅延が生じるという点で不利である可能性がある。この遅延は、伝送が始まる前に２台の無線網制御装置が互いに信号で知らせるために要する時間の結果である。
【００４４】
本発明の１つの実施態様においては、図３に関して記述されている方法は、無線網制御装置が同じ場所にない場合に使用されるが、代替方法は、無線網制御装置が同じ場所にある場合に使用される。それ以外の実施態様では、図３に関して記述される方法は、問題の無線網制御装置の場所に関係なく使用される。
【００４５】
これまで記述されてきたフォーマットは、現在提案されているＵＭＴＳ（汎用移動電話サービス）規格の一部である。かわりにそれ以外の規格も使用できることが理解されなければならない。
【００４６】
本発明の代替実施態様において、制御情報は、音声データとは別個の接続またはチャネル上で送信することができる。
【００４７】
本発明の代替実施態様では、音声が他の適切な形式の通信によって置換されてよい。言い替えると、いくつかのデータ接続を含むその他の適切な通信形態が、必要に応じてソフトハンドオフにあり、本発明の実施態様で使用されてよい。同様に、データは、ソフトハンドオフが所望されていないその他の適切な形式の通信で置換することもできる。データは、パケットデータまたはその他の型のデータであってよい。
【００４８】
専用チャネルが、切替えまたは同等物をサポートするためだけに維持され、信号方式情報だけを含むようにすることも考えられる。このケースでは、第１ワード、ワード１は、さらに高いレベルの制御情報の存在を指すだろう。
【００４９】
本発明のいくつかの実施態様では、移動局は、同時に２つより多い基地局と通信してよい。これまでに概略された原則は、このシナリオで使用することもできる。各基地局は、異なる無線網制御装置に接続することができる。かわりに、無線網制御装置の１つまたは複数は、同じ移動局と通信する複数の基地局に接続することもできる。
【００５０】
好ましい実施態様は符号分割多重接続システムで記述されてきたが、本発明の実施態様は、任意のその他のスペクトル拡散技法、時分割多重接続、周波数分割多重接続および空間分割多重接続またはそのハイブリッドなどのその他の適切なアクセス技法とともに使用することができる。
【図面の簡単な説明】
【図１】  図１は、基地トランシーバ局および移動局を組み込むセルラー電気通信網の部分の概略図を示す。
【図２】  図２は、図１のネットワークの部分をさらに詳細に示す。
【図３】  図３は、本発明の実施態様で使用されるコーディングを図解する。
【図１】
0003713439.tif 000002
【図２】
0003713439.tif 000003
【図３】
0003713439.tif 000004